(57)【要約】
【課題】　磁気テープ装置において、シャーシの前後幅を短くすることによって、１枚の板金材から複数個のシャーシを打抜き形成するときの板金材の順送型送りピッチを詰める。
【解決手段】　カセットホルダー４が、シャフト３によって連結した左右の揺動レバー２１，２２の同調揺動動作に連動して初期位置とカセット装填位置との間で移動する。ローディング位置に搬入されたテープカセットＣを支える２つの前側カセット受体５１，５２と２つの後側カセット受体５３，５４とを備える。シャーシ１の前端縁の位置をシャフト３の後側へ後退させ、そのシャーシ１の前端縁に設けられていた前側カセット受体５１としての片側上向き突片を省略し、その代用として、横長板金材によって形成したシャフト３の偏心箇所に突起３４を設ける。
【選択図】　　　　図１
0003099531.tif 000002
【実用新案登録請求の範囲】
【請求項１】
テープカセットを搭載したカセットホルダーが、シャーシに揺動可能に取り付けられた左右の揺動レバーの同調揺動動作に連動して、上記テープカセットが着脱される初期位置と上記テープカセットをそのローディング位置に搬入するカセット装填位置との間で移動するようになっていて、左右の上記揺動レバーがそれらを同調揺動させるためのシャフトに固着されていると共に、ローディング位置に搬入されたテープカセットを支えるカセット受体が、上記シャフトの配備位置よりも前側に位置する上記シャーシの前端縁の左右２箇所と、それよりも後方の左右２箇所とにそれぞれ配備され、かつ、シャーシの前端縁の左右２箇所の前側カセット受体が上記シャフトの配備位置よりも前側で上記シャーシに一体形成した片側上向き突片と他側上向き突片とによって形成されている磁気テープ装置において、
　上記他側上向突片により形成された１つの前側カセット受体とそれよりも後方の２箇所に配備されている後側カセット受体とによりローディング位置に搬入されたテープカセットを３点で支えるようにしてそれらの３点によってテープカセットの基準支持面を形成させ、
　上記シャーシの前端縁の位置を、上記片側上向き突片が形成されている領域を含む部分で上記シャフトの後側へ後退させると共にその片側上向き突片を省略し、上記シャフトを、直角の開き角度に屈曲形成された２つの板片部を有する横長板金材によって形成し、その横長板金材の回転軸線に対する偏心箇所である１つの板片部の端縁に上記片側上向き突片の代用としての突起を一体に具備させることによって、上記カセットホルダーがカセット装填位置に位置しているときに、この突起が、省略された上記片側上向き突片と同一又は略同一位置に配備されるようにすると共に、その突起の高さを、上記基準支持面の高さよりも低く定めてあることを特徴とする磁気テープ装置。
【請求項２】
テープカセットを搭載したカセットホルダーが、シャーシに揺動可能に取り付けられた左右の揺動レバーの同調揺動動作に連動して、上記テープカセットが着脱される初期位置と上記テープカセットをそのローディング位置に搬入するカセット装填位置との間で移動するようになっていて、左右の上記揺動レバーがそれらを同調揺動させるためのシャフトに固着されていると共に、ローディング位置に搬入されたテープカセットを支えるカセット受体が、上記シャフトの配備位置よりも前側に位置する上記シャーシの前端縁の左右２箇所と、それよりも後方の左右２箇所とにそれぞれ配備され、かつ、シャーシの前端縁の左右２箇所の前側カセット受体が上記シャフトの配備位置よりも前側で上記シャーシに一体形成した片側上向き突片と他側上向き突片とによって形成されている磁気テープ装置において、
　上記シャーシの前端縁の位置を、上記片側上向き突片が形成されている領域を含む部分で上記シャフトの後側へ後退させると共にその片側上向き突片を省略し、上記シャフトの偏心箇所に上記片側上向き突片の代用としての突起を一体に具備させ、上記カセットホルダーがカセット装填位置に位置しているときに、この突起が、省略された上記片側上向き突片と同一又は略同一位置に配備されるようにしたことを特徴とする磁気テープ装置。
【請求項３】
上記シャフトを横長板金材で形成し、その横長板金材に上記突起を一体形成した請求項２に記載した磁気テープ装置。
【請求項４】
上記横長板金材が、所定の開き角度に屈曲形成された２つの板片部を有し、そのうちの１つの板片部に、上記突起が形成されている請求項３に記載した磁気テープ装置。
【考案の詳細な説明】
【技術分野】
【０００１】
　本考案は、磁気テープ装置、詳しくは、テープカセットをローディング位置に搬入するためのカセットホルダーが、シャーシに取り付けられた左右の揺動レバーの同調揺動動作に連動して初期位置とカセット装填位置との間で移動するようになっている磁気テープ装置に関する。
【背景技術】
【０００２】
　図５にこの種の磁気テープ装置の従来の概略構成を平面図で示し、図６にローディング位置に搬入されたテープカセットＣを支えるカセット受体５１，５２，５３，５４の従来の配置パターンを説明的に示してある。
【０００３】
　図５において、１は平面視略矩形のシャーシで、このシャーシ１の左右の側壁１２，１３のそれぞれに揺動レバー２１，２２が揺動可能に取り付けられていると共に、それらの揺動レバー２１，２２が細い丸棒状のシャフト３によって連結されている。また、左右の側壁１２，１３のそれぞれに形成されているカム溝（不図示）に案内されて前後方向及び上下方向に移動可能な左右一対のホルダー要素４１，４２でなるカセットホルダー４が左右の上記揺動レバー２１，２２に連係されている。また、シャーシ１には磁気ヘッドを内蔵した回転ドラム９が取り付けられている。
【０００４】
　この磁気テープ装置において、左右の揺動レバー２１，２２のいずれかに駆動力が伝達されると、カセットホルダー４は、上記カム溝により案内されながら左右の揺動レバー２１，２２の同調揺動動作に連動してテープカセットＣが着脱される初期位置からテープカセットＣをそのローディング位置に搬入するカセット装填位置（図示位置）に移動したり、カセット装填位置から初期位置に移動したりする。
【０００５】
　一方、カセットホルダー４がカセット装填位置に移動することによってローディング位置に搬入されたテープカセットＣは、シャーシ１の前端縁の左右２箇所に配備された前側カセット受体５１，５２と、それよりも後方の左右２箇所に配備された後側カセット受体５３，５４とによって支えられて正規のローディング位置に位置決めされ、そのように位置決めされたテープカセットＣに対してテープローディング機構（不図示）が作用し、テープカセットＣから引き出された磁気テープが所定の経路に配備されて回転ドラム９に巻き掛けられる。
【０００６】
　ところで、従来の磁気テープ装置では、図５のようにシャーシ１はその前端縁がシャフト３の配備位置よりも前側に突き出ていて、その前端縁に曲成した上向きの折曲げ片１４の左右両端部に一体形成した片側及び他側の２つの上向き突片（図６参照）を上記した左右の前側カセット受体５１，５２としてある。この構成を採用したのはおよそ次の理由による。
【０００７】
　すなわち、テープカセット１の下面には、前側及び後側のカセット受体５１，５２，５３，５４によって支えられる領域（図５に円形の破線イ，ロ，ハ，ニで示してある）があらかじめ定められていて、４箇所のカセット受体５１，５２，５３，５４はこれらの領域イ，ロ，ハ，ニを支え得る箇所に配備されている必要がある。そして、テープカセット１がローディング位置に位置しているときには、前側の左右の領域イ，ロがシャフト３よりも前側に位置するようになっているので、左右の前側カセット受体５１，５２をシャフト３より前側に位置させることが必要になる。この要求に対処するために、上記したように、シャーシ１の前端縁をシャフト３の配備位置よりも前側に突き出し、その前端縁の折曲げ片１４に形成した左右の上向き突片によって前側カセット受体５１，５２を形成してある。
【０００８】
　カセットホルダーを初期位置とカセット装填位置との間で移動させるための手段として、左右の揺動レバーをシャフトにより連結して同調揺動させるようにする機構を採用することや、上記したようなシャフトと前側カセット受体との位置関係については先行例でも記載がなされている（例えば、特許文献１参照）。
【０００９】
【特許文献１】特開２００２−５６５９２号公報
【考案の開示】
【考案が解決しようとする課題】
【００１０】
　しかしながら、図５や図６で説明した従来の磁気テープ装置のように、左右の前側カセット受体５１，５２を左右の揺動レバー２１，２２を同調揺動させるためのシャフト３の配備位置よりも前側に配備することのために、シャフト３の前側に突き出したシャーシ１の前端縁にそれらの前側カセット受体５１，５２を形成するという構成を採用すると、図５に示した前側カセット受体５１，５２の配備箇所からシャーシ１の後端に至るシャーシ１の前後幅Ｄを短くすることがシャフト３の配備位置によって制約を受ける。そのため、シャーシ１の前後幅Ｄを短くすることによって、１枚の板金材から複数個のシャーシ１を打抜き形成するときに、板金材の間欠送りピッチ（順送型送りピッチ）を詰めることによって（短くすることによって）生産性を高めたり、材料歩留りを向上させたりすることが困難になる。
【００１１】
　本考案は以上の事情に鑑みてなされたものであり、左右の前側カセット受体を形成する上向き突片のうちの１つを省略してシャーシの前端縁をシャフトの配備位置の後側に後退させ、その代わりに、省略した上向き突片の代用となる突起をシャフトに具備させるという構成を採用することによって、１枚の板金材から複数個のシャーシを打抜き形成するときの板金材の順送型送りピッチを詰めることができるようにし、それによってシャーシの生産性を高めたり材料歩留りを向上させたりすることを可能にする磁気テープ装置を提供することを目的とする。
【００１２】
　また、本考案は、省略した上向き突片の代用となる突起を高度な技術を要することなくシャフトに具備させることを可能にする磁気テープ装置を提供することを目的とする。
【００１３】
　さらに、本考案は、カセット受体によってテープカセットをローディング位置でがたつきなく支えることのできる磁気テープ装置を提供することを目的とする。
【課題を解決するための手段】
【００１４】
　本考案に係る磁気テープ装置は、テープカセットを搭載したカセットホルダーが、シャーシに揺動可能に取り付けられた左右の揺動レバーの同調揺動動作に連動して、上記テープカセットが着脱される初期位置と上記テープカセットをそのローディング位置に搬入するカセット装填位置との間で移動するようになっていて、左右の上記揺動レバーがそれらを同調揺動させるためのシャフトに固着されていると共に、ローディング位置に搬入されたテープカセットを支えるカセット受体が、上記シャフトの配備位置よりも前側に位置する上記シャーシの前端縁の左右２箇所と、それよりも後方の左右２箇所とにそれぞれ配備され、かつ、シャーシの前端縁の左右２箇所の前側カセット受体が上記シャフトの配備位置よりも前側で上記シャーシに一体形成した片側上向き突片と他側上向き突片とによって形成されている磁気テープ装置において、上記シャーシの前端縁の位置を、上記片側上向き突片が形成されている領域を含む部分で上記シャフトの後側へ後退させると共にその片側上向き突片を省略し、上記シャフトの偏心箇所に上記片側上向き突片の代用としての突起を一体に具備させ、上記カセットホルダーがカセット装填位置に位置しているときに、この突起が、省略された上記片側上向き突片と同一又は略同一位置に配備されるようにした、というものである。
【００１５】
　これによれば、シャーシの前端縁がシャフトの後側に後退した箇所に位置するので、１枚の板金材から複数個のシャーシを打抜き形成するときの板金材の順送型送りピッチが、上記した従来の場合よりも詰まる。そのため、シャーシの生産性が高まり、材料歩留りも向上する。また、省略した片側上向き突片の代用としての突起をシャフトの偏心箇所に一体に具備させ、カセットホルダーがカセット装填位置に位置しているときに、この突起が、省略された片側上向き突片と同一又は略同一位置に配備されるようにしたので、省略した片側上向き突片が支えていたテープカセットの下面の領域が、その片側上向き突片の代用としての突起によって支えられるようになって、テープカセットをローディング位置で支える場合の安定性が損なわれるという事態が起こらない。
【００１６】
　本考案では、上記シャフトを横長板金材で形成し、その横長板金材に上記突起を一体形成することが望ましい。これによれば、突起をシャフトの偏心箇所に形成しやすい。
【００１７】
　また、本考案では、上記横長板金材が、所定の開き角度に屈曲形成された２つの板片部を有し、そのうちの１つの板片部に、上記突起が形成されていることが望ましい。これによれば、横長板金材によって形成されるシャフトの強度を容易に大きく確保することが可能になると同時に、突起をシャフトの偏心箇所に形成しやすいという作用が奏される。
【００１８】
　本考案に係る磁気テープ装置は、テープカセットを搭載したカセットホルダーが、シャーシに揺動可能に取り付けられた左右の揺動レバーの同調揺動動作に連動して、上記テープカセットが着脱される初期位置と上記テープカセットをそのローディング位置に搬入するカセット装填位置との間で移動するようになっていて、左右の上記揺動レバーがそれらを同調揺動させるためのシャフトに固着されていると共に、ローディング位置に搬入されたテープカセットを支えるカセット受体が、上記シャフトの配備位置よりも前側に位置する上記シャーシの前端縁の左右２箇所と、それよりも後方の左右２箇所とにそれぞれ配備され、かつ、シャーシの前端縁の左右２箇所の前側カセット受体が上記シャフトの配備位置よりも前側で上記シャーシに一体形成した片側上向き突片と他側上向き突片とによって形成されている磁気テープ装置において、上記他側上向突片により形成された１つの前側カセット受体とそれよりも後方の２箇所に配備されている後側カセット受体とによりローディング位置に搬入されたテープカセットを３点で支えるようにしてそれらの３点によってテープカセットの基準支持面を形成させ、上記シャーシの前端縁の位置を、上記片側上向き突片が形成されている領域を含む部分で上記シャフトの後側へ後退させると共にその片側上向き突片を省略し、上記シャフトを、直角の開き角度に屈曲形成された２つの板片部を有する横長板金材によって形成し、その横長板金材の回転軸線に対する偏心箇所である１つの板片部の端縁に上記片側上向き突片の代用としての突起を一体に具備させることによって、上記カセットホルダーがカセット装填位置に位置しているときに、この突起が、省略された上記片側上向き突片と同一又は略同一位置に配備されるようにすると共に、その突起の高さを、上記基準支持面の高さよりも低く定めてある、という構成を採用することによっていっそう具体化される。
【００１９】
　この考案によれば、上記した各考案によって奏される作用のほか、次の作用が奏される。すなわち、テープカセットを、そのテープカセットのローディング位置で基準支持面を形成している３点で支持させ、かつ、片側上向き突片で他の１点を基準支持面よりも低く形成してがたつき防止機能を持たせるということが規格として定められている場合に、上記片側上向き突片を省略し、その代用としての突起をこの考案のようにシャフトに具備させておくと、その突起はもともと基準支持面よりも低く形成してテープカセットのがたつき防止機能を発揮するものであればよいので、シャフトに不可避的な取付けガタが生じて突起の高さにばらつきが生じるとしても、そのばらつきがテープカセットのローディングに支障を来すという事態は起こらない。したがって、シャフトに突起を形成する場合にその突起を高精度に製作する必要がないという利点がある。
【考案の効果】
【００２０】
　以上のように、本考案によれば、シャーシの前後幅を短くすることによって、１枚の板金材から複数個のシャーシを打抜き形成するときの板金材の順送型送りピッチを詰めることができるようになるので、シャーシの生産性が高まり、材料歩留りが向上することになって、磁気テープ装置のコストダウンを図りやすくなる。特に、シャーシを横長板金材によって形成したものでは、省略した上向き突片の代用となる突起を高度な技術を要することなくシャフトに具備させることが可能になるという効果が奏され、さらに、テープカセットを３点支持させ、省略した上向き突片の代用となる突起の高さをテープカセットの基準支持面の高さよりも低くしたものでは、ローディング位置でのテープカセットの安定性が向上することになって記録再生時などの画像安定性が向上する。
【考案を実施するための最良の形態】
【００２１】
　図１は本考案の実施形態に係る磁気テープ装置の概略構成を示した平面図、図２はローディング位置に搬入されたテープカセットＣを支えるカセット受体５１，５２，５３，５４の配置パターンを示した説明図、図３（Ａ）（Ｂ）は横長板金材で形成されたシャフト３の作用を説明するための断面図、図４は突起３４の様々な形状を例示した説明図である。
【００２２】
　この磁気テープ装置において、テープカセットＣを搭載したカセットホルダー４が、シャーシ１に揺動可能に取り付けられた左右の揺動レバー２１，２２の同調揺動動作に連動して、テープカセットＣが着脱される初期位置とテープカセットをそのローディング位置に搬入するカセット装填位置との間で移動するようになっている点、左右の揺動レバー２１，２２がそれらを同調揺動させるためのシャフト３に固着されている点、ローディング位置に搬入されたテープカセットＣを支える４つのカセット受体５１，５２，５３，５４が備わっている点、などは、図５又は図６で説明した従来の磁気テープ装置の場合と同様である。
【００２３】
　この実施形態では、図５又は図６で説明した１つの前側カセット受体５１を形成している片側上向き突片を省略すると共に、シャフト３を横長板金材によって形成してある。また、シャーシ１の前端縁の位置を、省略した片側上向き突片が形成されていた領域を含む部分でシャフト３の後側へ後退させることによって、その領域からシャーシ１の後端に至るシャーシ１の前後幅Ｄを図５の場合よりも短くしてある。図例では、上記領域を、他の前側カセット受体５２としての他側上向き突片の形成箇所を除くシャーシ１の前端縁のほゞ全範囲に定めてある。したがって、他側上向き突片によって形成されている前側カセット受体５２は図５の場合と同一位置に位置している。
【００２４】
　図３に示したように、シャフト３を形成している横長板金材は、直角の開き角度θに屈曲形成された２つの板片部３１，３２を備えていて、そのうちの片側の板片部３２の端縁３３は、左右の揺動レバー２１，２２（図１参照）を同調揺動させる際の回転軸線Ｐに対して偏心箇所に位置している。そして、回転軸線Ｐに対する偏心箇所である板片部３２の端縁３３に突起３４を一体に具備させてある。この突起３４は、省略した片側上向き突片の代用として設けられていて、図１のようにカセットホルダー４がカセット装填位置に位置しているときには、この突起３４が、省略された片側上向き突片と同一又は略同一位置に配備されるようになっている。
【００２５】
　また、この磁気テープ装置では、シャフト３の配備位置よりも前側に位置している上記他側上向突片により形成された１つの前側カセット受体５２とそれよりも後方の２箇所に配備されている後側カセット受体５３，５４とによりローディング位置に搬入されたテープカセットを３点で支えるようにしてそれらの３点によってテープカセットＣの基準支持面を形成させるようにしてある。これに対し、他の前側カセット受体５１を形成している上記突起３４の高さを、上記基準支持面の高さよりも低く（たとえば０．２ｍｍ程度低く）定めてある。
【００２６】
　以上の構成を備えた磁気テープ装置において、ローディング位置に搬入されたテープカセットＣは、従来の場合と同じ箇所に位置している１つの前側カセット受体５２と２つの後側カセット受体５３，５４とによって基準支持面上に３点支持され、しかも、それぞれのカセット受体５２，５３，５４が、テープカセット１の下面に予め定められている領域ロ，ハ，ニを支える。これに対し、他の１つの前側カセット受体５１を形成している突起３４は、カセットホルダー４（図１参照）が初期位置に位置しているときには、図３（Ａ）のように、横長板金材の片側の板片部３２の端縁３３に位置してシャフト３の回転軸線Ｐよりも下方に位置しているけれども、カセットホルダー４（図１参照）がカセット装填位置まで移動してテープカセットＣがローディング位置に達したときには、図３（Ｂ）のように、シャフト３の回転によってその回転軸線Ｐよりも上方でその回転軸線Ｐよりも前側に位置するようになり、その位置で、テープカセットＣの領域イ（図１参照）にわずかな間隔（たとえば０．２ｍｍ程度）を隔てて対向する。したがって、シャーシ１の前後幅Ｄが短くなているにもかかわらず、４箇所のカセット受体５１，５２，５３，５４が、テープカセット１の下面に予め定められた領域イ，ロ，ハ，ニに対応することになる。
【００２７】
　この実施形態の磁気テープ装置によれば、テープカセットＣがローディング位置で３点支持されるためにがたつきが生じなくなって磁気テープの走行安定性が向上し、そのために記録再生時などの画像安定性が向上する。また、省略した片側上向き突片の代用としてシャフトに具備された突起３４の高さが、テープカセットの基準支持面の高さよりも低く（たとえば０．２ｍｍ程度低く）定められていることにより、３点支持されたテープカセットＣが何らかの理由によってがたついたときのがたつき幅がその突起３４によって制限されることになって、磁気テープの走行安定性がいっそう向上する。
【００２８】
　図１〜図３で説明した磁気テープ装置では、シャフト３とのしての横長板金材に設けた突起３４を、その横長板金材の片側の板片部３２に折曲げて形成してあるけれども、この点は、たとえば図４（Ａ）のように、横長板金材の端縁部を一部だけを残して欠除し、その欠除残部を突起３４として形成しても、同図（Ｂ）のように、横長板金材の一部をプレス加工したり絞り加工したりして膨出状に突起３４を形成してもかまわない。
【図面の簡単な説明】
【００２９】
【図１】本考案の実施形態に係る磁気テープ装置の概略構成を示した平面図である。
【図２】ローディング位置に搬入されたテープカセットを支えるカセット受体の配置パターンを示した説明図である。
【図３】（Ａ）はカセットホルダーが初期位置に位置しているときの横長板金材で形成されたシャフトの姿勢を示した断面図、（Ｂ）はカセットホルダーがカセット装填位置に位置しているときの上記シャフトの姿勢を示した断面図である。
【図４】（Ａ）は突起の他の形状を例示した説明図、（Ｂ）は突起のさらに他の形状を例示した説明図である。
【図５】従来の磁気テープ装置の概略構成を平面図である。
【図６】従来の磁気テープ装置で、ローディング位置に搬入されたテープカセットを支えるカセット受体の配置パターンを示した説明図である。
【符号の説明】
【００３０】
　１　シャーシ
　３　シャフト
　４　カセットホルダー
　２１，２２　揺動レバー
　３１，３２　板片部
　３３　板片部の端縁
　３４　突起
　５１，５２，５３，５４　カセット受体
　Ｃ　テープカセット
　Ｐ　回転軸線
【図１】
0003099531.tif 000003
【図２】
0003099531.tif 000004
【図３】
0003099531.tif 000005
【図４】
0003099531.tif 000006
【図５】
0003099531.tif 000007
【図６】
0003099531.tif 000008